(57)【特許請求の範囲】
【請求項１】
対向する第１側壁及び第２側壁を有し、前記第１側壁及び前記第２側壁がそれぞれ複数の固定穴を有する複数の記憶装置を、シャーシの中に固定するための固定ブラケットにおいて、
開口及び収納空間を有し、前記収納空間に複数の第１固定ピンを備える筐体と、
前記筐体に枢接されており、回転して前記開口の一部を閉開することに用いられ、それぞれ複数の第２固定ピンを備える２つの枢接部材と、を具備し、
前記記憶装置が前記開口を介して前記収納空間の中に収納され、
前記第１固定ピンのそれぞれは、前記第１側壁上の対応する前記固定穴に差し込むことに用いられ、
前記枢接部材により前記開口の一部が閉じられた場合に、前記第２固定ピンのそれぞれは、前記第２側壁上の対応する前記固定穴に差し込まれる、固定ブラケット。
【請求項２】
前記筐体は、
頂板と、
前記頂板の下方に平行に設けられた底板と、
前記頂板と前記底板との間に接続され、前記開口に対向する背板と、を備え、
前記枢接部材のそれぞれは、前記頂板及び前記底板に枢接され、
前記第１固定ピンは、前記背板に設けられる請求項１に記載の固定ブラケット。
【請求項３】
前記頂板は、それぞれ前記枢接部材に隣接する２つの第１係合構造を含み、
前記枢接部材のそれぞれは、
前記頂板に枢接され、第１係合部を有する第１枢接シートと、
前記第１枢接シートに接続され、前記第２固定ピンが設けられるカバーシートと、を備え、
前記カバーシートは、前記第１枢接シートに伴って回転して前記開口の一部を閉じる場合に、前記頂板及び前記底板に同時に当接し、前記第１係合部は、対応する前記第１係合構造と係合する請求項２に記載の固定ブラケット。
【請求項４】
前記頂板は、第１板体を更に含み、
前記第１係合部は、第１穴であり、
前記第１係合構造のそれぞれは、
前記第１板体の縁に接続される第１板ばねと、
前記第１板ばねの前記収納空間から離れた表面に設けられた第１バンプと、を包含し、
対応する前記枢接部材が前記開口に向かって閉じられる間、対応する前記第１枢接シートは、前記第１バンプを押圧して、前記第１板ばねを前記収納空間側へ移動させ、対応する前記カバーシートが前記頂板及び前記底板に当接されるときに、前記第１板ばねは復帰して、前記第１バンプを対応する前記第１穴の中に係合させる請求項３に記載の固定ブラケット。
【請求項５】
前記底板は、それぞれ前記枢接部材に隣接する２つの第２係合構造を含み、
前記枢接部材のそれぞれは、
前記底板に枢接され、第２係合部を有する第２枢接シートと、
前記第２枢接シートに接続され、前記第２固定ピンが設けられるカバーシートと、を備え、
前記カバーシートは、前記第２枢接シートに伴って回転して前記開口の一部を閉じる場合に、前記頂板及び前記底板に同時に当接し、前記第２係合部は、対応する前記第２係合構造と係合する請求項２に記載の固定ブラケット。
【請求項６】
前記底板は、第２板体を更に含み、
前記第２係合部は、第２穴であり、
前記第２係合構造のそれぞれは、
前記第２板体の縁に接続される第２板ばねと、
前記第２板ばねの前記収納空間から離れた表面に設けられた第２バンプと、を包含し、
対応する前記枢接部材が前記開口に向かって閉じられる間、対応する前記第２枢接シートは、前記第２バンプを押圧して、前記第２板ばねを前記収納空間側へ移動させ、対応する前記カバーシートが前記頂板及び前記底板に当接されるときに、前記第２板ばねは復帰して、前記第２バンプを対応する前記第２穴の中に係合させる請求項５に記載の固定ブラケット。
【請求項７】
前記底板は、前記底板の前記収納空間から離れた表面に位置し且つ前記シャーシ上のスライドレールの中に係合されるための第３係合構造を含む請求項２に記載の固定ブラケット。
【発明の詳細な説明】
【技術分野】
【０００１】
本発明は、固定ブラケットに関し、特に、記憶装置をサーバのシャーシの中に固定するための固定ブラケットに関する。
【背景技術】
【０００２】
現在、コンピュータ業界において、記憶装置（例えば、ハードディスクや光ディスクドライブ）を固定する方式が数多くある。一般的には、ねじによって記憶装置を直接コンピュータのハウジングにロックする方式が、最も広く適用されている。
【０００３】
コンピュータの絶え間ない進歩に伴い、着脱しやすい固定ブラケットが現れている。これらの従来の固定ブラケットの１つとしては、記憶装置を搭載することに用いられ、ねじによって記憶装置をロックするものがある。記憶装置がロックされた固定ブラケットは、コンピュータのシャーシにおけるガイド部材に沿ってコンピュータのシャーシに入れられた後、更にねじで固定ブラケットをコンピュータのシャーシにロックし、更にシャーシにおけるコンピュータの記憶装置の位置を固定する。後で記憶装置のメンテナンス又は取替えを行う際にも、同様にして、記憶装置、固定ブラケットとコンピュータのシャーシの間の全てのねじを取り外さなければ、記憶装置を取り出すことができない。つまり、記憶装置を固定ブラケットに固定する際にねじを用いてロックを行うだけでなく、固定ブラケットをコンピュータのハウジングに固定する際にも同様にねじを用いてロックを行う必要がある。
【０００４】
しかしながら、ねじによって記憶装置の位置を固定する従来の方式では、記憶装置の組立速度を向上させることができないだけでなく、更にコンピュータのケースの組立時間を多く取られるため、コンピュータのケースの組立コストが向上することになる。また、ねじの形が様々である（例えば、一字型、十字型及び星型等）ため、コンピュータのケースの記憶装置をメンテナンスする過程で、修理者は、ねじを着脱するために多種のねじ回しを用意しなければならず、多くの時間を取られ且つ不便になる。これらの問題は、特に、膨大な数量の記憶装置を装設する必要のあるクラウド製品に対して、作業時間が増加する。
【発明の概要】
【発明が解決しようとする課題】
【０００５】
これに鑑みて、快速着脱可能で、ねじを使用せずに記憶装置を固定できるような固定設計の提供は、現在、業界で研究開発資源を投入して解決しようとする課題の１つとなる。
【課題を解決するための手段】
【０００６】
本発明は、複数の記憶装置をシャーシの中に固定するための固定ブラケットを提供する。記憶装置のそれぞれは、対向する第１側壁及び第２側壁を有し、第１側壁及び第２側壁がそれぞれ複数の固定穴を有する。固定ブラケットは、筐体と、２つの枢接部材と、を具備する。筐体は、開口及び収納空間を有する。筐体は、収納空間に複数の第１固定ピンを備える。枢接部材は、筐体に枢接されており、回転して開口の一部を閉開することに用いられる。枢接部材のそれぞれは、複数の第２固定ピンを備える。記憶装置は、開口を介して収納空間の中に収納される。第１固定ピンのそれぞれは、第１側壁上の対応する固定穴に差し込むことに用いられる。枢接部材により開口の一部が閉じられた場合に、第２固定ピンのそれぞれは、第２側壁上の対応する固定穴に差し込まれる。
【０００７】
本発明の一実施形態において、上記の筐体は、頂板と、底板と、背板と、を備える。底板は、頂板の下方に平行に設けられる。背板は、頂板と底板との間に接続され、開口に対向する。枢接部材のそれぞれは、頂板及び底板に枢接される。第１固定ピンは、背板に設けられる。
【０００８】
本発明の一実施形態において、上記の頂板は、それぞれ枢接部材に隣接する２つの第１係合構造を含む。枢接部材のそれぞれは、第１枢接シート及びカバーシートを備える。第１枢接シートは、頂板に枢接され、第１係合部を有する。カバーシートは、第１枢接シートに接続される。第２固定ピンは、カバーシートに設けられる。カバーシートは、第１枢接シートに伴って回転して開口の一部を閉じる場合に、頂板及び底板に同時に当接し、第１係合部は、対応する第１係合構造と係合する。
【０００９】
本発明の一実施形態において、上記の頂板は、第１板体を更に含む。第１係合部は、第１穴である。第１係合構造のそれぞれは、第１板ばね及び第１バンプを包含する。第１板ばねは、第１板体の縁に接続される。第１バンプは、第１板ばねの収納空間から離れた表面に設けられる。対応する枢接部材が開口に向かって閉じられる間、対応する第１枢接シートは、第１バンプを押圧して、第１板ばねを収納空間側へ移動させる。対応するカバーシートが頂板及び底板に当接されるときに、第１板ばねは復帰して、第１バンプを対応する第１穴の中に係合させる。
【００１０】
本発明の一実施形態において、上記の底板は、それぞれ枢接部材に隣接する２つの第２係合構造を含む。枢接部材のそれぞれは、第２枢接シート及びカバーシートを備える。第２枢接シートは、底板に枢接され、第２係合部を有する。カバーシートは、第２枢接シートに接続される。第２固定ピンは、カバーシートに設けられる。カバーシートは、第２枢接シートに伴って回転して開口の一部を閉じる場合に、頂板及び底板に同時に当接し、第２係合部は、対応する第２係合構造と係合する。
【００１１】
本発明の一実施形態において、上記の底板は、第２板体を更に含む。第２係合部は、第２穴である。第２係合構造のそれぞれは、第２板ばね及び第２バンプを包含する。第２板ばねは、第２板体の縁に接続される。第２バンプは、第２板ばねの収納空間から離れた表面に設けられる。対応する枢接部材が開口に向かって閉じられる間、対応する第２枢接シートは、第２バンプを押圧して、第２板ばねを収納空間へ移動させる。対応するカバーシートが頂板及び底板に当接されるときに、第２板ばねは復帰して、第２バンプを対応する第２穴の中に係合させる。
【００１２】
本発明の一実施形態において、上記の底板は、第３係合構造を含む。第３係合構造は、底板の収納空間から離れた表面に位置し且つシャーシ上のスライドレールの中に係合されるためのものである。
【発明の効果】
【００１３】
上記をまとめると、本発明の固定ブラケットは、複数の記憶装置を一度で収納できる。記憶装置が固定ブラケットの筐体内に収納され且つ枢接部材により筐体の開口の一部が閉じられた場合に、筐体内に設けられた第１固定ピン及び枢接部材に設けられた第２固定ピンが、記憶装置の２つの対向する側壁上の固定穴に別々に差し込まれることによって、記憶装置を固定ブラケットの中に固定する目的を達することができる。また、枢接部材により筐体の開口の一部が閉じられた場合に、枢接部材上の係合部と筐体上の係合構造が互いに係合することによって、枢接部材が予期せずに開口を開けて記憶装置が筐体から外れる問題が発生しないようにすることができる。なお、本発明の固定ブラケットには、筐体の底部に係合構造が設けられてシャーシのスライドレールに係合されることによって、ねじ無しのロック方式で記憶装置をシャーシ内に快速に固定する目的を達することができる。
【図面の簡単な説明】
【００１４】
【図１Ａ】本発明の一実施形態の固定ブラケット及び記憶装置を示す斜視分解図である。
【図１Ｂ】図１Ａにおける固定ブラケット及び記憶装置を示す別の斜視分解図である。
【図２】図１Ａにおける固定ブラケット及び記憶装置を示す斜視組立図であり、枢接部材により開口が開けられている。
【図３】図２における固定ブラケット及び記憶装置を示す別の斜視組立図であり、枢接部材により開口の一部が閉じられている。
【図４】図１Ａにおける固定ブラケットを示す正面図である。
【図５】本発明の一実施形態の記憶装置をシャーシの中に固定する固定ブラケットを示す斜視図である。
【発明を実施するための形態】
【００１５】
以下、図面で本発明の複数の実施形態を開示し、明確に説明するために、数多くの実務上の細部を下記叙述で合わせて説明する。しかしながら、理解すべきなのは、これらの実務上の細部が、本発明を制限するためのものではない。つまり、本発明の実施形態の一部において、これらの実務上の細部は、必要としない。また、図面を簡略化するために、従来慣用の構造及び素子は、図面において簡単で模式的に示される。
【００１６】
図１Ａ及び図１Ｂを参照する。図１Ａは、本発明の一実施形態の固定ブラケット２と記憶装置３を示す斜視分解図である。図１Ｂは、図１Ａにおける固定ブラケット２と記憶装置３を示す別の斜視分解図である。
【００１７】
図１Ａ及び図１Ｂに示すように、本実施形態において、固定ブラケット２は、２つの記憶装置３を収納することに用いられる。記憶装置３のそれぞれは、対向する第１側壁３０ａ及び第２側壁３０ｂを有する。記憶装置３の第１側壁３０ａ及び第２側壁３０ｂには、それぞれ複数の固定穴３００を有する。固定ブラケット２は、筐体２０と、２つの枢接部材２２と、を具備する。固定ブラケット２の筐体２０は、開口２０６及び収納空間Ｓを有する。筐体２０は、収納空間Ｓに複数の第１固定ピン２０４ａを備える。
【００１８】
具体的には、固定ブラケット２の筐体２０は、頂板２００と、底板２０２と、複数の接続リブ２０１と、背板２０４と、を備える。筐体２０の底板２０２は、接続リブ２０１を介して頂板２００に接続されることで、頂板２００の下方に平行に設けられる。枢接部材２２のそれぞれは、筐体２０の頂板２００及び底板２０２に枢接され、開口２０６に隣接する。筐体２０の背板２０４は、頂板２００と底板２０２との間に接続され、開口２０６に対向する（即ち、背板２０４は開口２０６及び枢接部材２２から離れている）。筐体２０の第１固定ピン２０４ａは、背板２０４に設けられる。
【００１９】
図２及び図３を参照する。図２は、図１Ａにおける固定ブラケット２及び記憶装置３を示す斜視組立図であり、枢接部材２２により開口２０６が開けられている。図３は、図２における固定ブラケット２及び記憶装置３を示す別の斜視組立図であり、枢接部材２２により開口２０６の一部が閉じられている。
【００２０】
図２及び図３に示すように、本実施形態において、記憶装置３は、筐体２０の開口２０６を介して入って、更に筐体２０の収納空間Ｓの中に収納されてよい。筐体２０上の第１固定ピン２０４ａのそれぞれは、第１側壁３０ａ上の対応する固定穴３００に差し込むことに用いられる。固定ブラケット２の枢接部材２２は、筐体２０に枢接されており、回転して筐体２０の開口２０６の一部を閉開することに用いられる。固定ブラケット２の枢接部材２２のそれぞれは、複数の第２固定ピン２２４ａを備える。固定ブラケット２の枢接部材２２により筐体２０の開口２０６の一部が閉じられた場合、枢接部材２２上の第２固定ピン２２４ａのそれぞれは、第２側壁３０ｂ上の対応する固定穴３００に差し込まれる。つまり、記憶装置３が固定ブラケット２の筐体２０内に収納され且つ枢接部材２２により筐体２０の開口２０６の一部が閉じられた場合に、筐体２０内に設けられた第１固定ピン２０４ａ及び枢接部材２２に設けられた第２固定ピン２２４ａが、記憶装置３の２つの対向する側壁（即ち、第１側壁３０ａ及び第２側壁３０ｂ）上の固定穴３００に別々に差し込まれることによって、記憶装置３を固定ブラケット２の中に固定する目的を達することができる。
【００２１】
説明すべきなのは、本発明の固定ブラケット２に収納可能な記憶装置３の数は、ニーズに応じて増減してよく、筐体２０内の第１固定ピン２０４ａ、及び枢接部材２２に設けられる第２固定ピン２２４ａは、記憶装置３の数に応じて、数を調整する必要がある。
【００２２】
具体的には、筐体２０の頂板２００は、２つの第１係合構造２００ａを含む。頂板２００の２つの第１係合構造２００ａは、それぞれ２つの枢接部材２２に隣接する。筐体２０の底板２０２は、２つの第２係合構造２０２ａを含む。底板２０２の２つの第２係合構造２０２ａも、それぞれ２つの枢接部材２２に隣接する。固定ブラケット２の枢接部材２２のそれぞれは、第１枢接シート２２０、第２枢接シート２２２及びカバーシート２２４を備える。枢接部材２２の第１枢接シート２２０は、頂板２００に枢接され、第１係合部を有する。枢接部材２２の第２枢接シート２２２は、底板２０２に枢接され、第２係合部を有する。枢接部材２２のカバーシート２２４は、第１枢接シート２２０と第２枢接シート２２２との間に接続される。枢接部材２２の第２固定ピン２２４ａは、カバーシート２２４に設けられる。枢接部材２２のカバーシート２２４は、第１枢接シート２２０及び第２枢接シート２２２に伴って回転して開口２０６の一部を閉じる場合に、筐体２０の頂板２００及び底板２０２に同時に当接し、第１枢接シート２２０の第１係合部が対応する第１係合構造２００ａと係合し、第２枢接シート２２２の第２係合部が対応する第２係合構造２０２ａと係合する。
【００２３】
更には、筐体２０の頂板２００は、第１板体を更に含む。第１枢接シート２２０の第１係合部は、第１穴２２０ａである。頂板２００の第１係合構造２００ａのそれぞれは、第１板ばね２００ａ１及び第１バンプ２００ａ２を包含する。第１係合構造２００ａの第１板ばね２００ａ１は、第１板体の縁に接続される。第１係合構造２００ａの第１バンプ２００ａ２は、第１板ばね２００ａ１の収納空間Ｓから離れた表面に設けられる。対応する枢接部材２２が筐体２０の開口２０６に向かって閉じられる間、対応する第１枢接シート２２０は、第１係合構造２００ａの第１バンプ２００ａ２を押圧して、第１係合構造２００ａの第１板ばね２００ａ１を収納空間Ｓ側へ移動させる。対応するカバーシート２２４が筐体２０の頂板２００及び底板２０２に当接されるときに、第１係合構造２００ａの第１板ばね２００ａ１は復帰して、第１係合構造２００ａの第１バンプ２００ａ２を対応する第１穴２２０ａの中に係合させる。
【００２４】
これに対して、筐体２０の底板２０２は、第２板体を更に含む。第２枢接シート２２２の第２係合部は、第２穴２２２ａである。底板２０２の第２係合構造２０２ａのそれぞれは、第２板ばね２０２ａ１及び第２バンプ２０２ａ２を包含する。第２係合構造２０２ａの第２板ばね２０２ａ１は、第２板体の縁に接続される。第２係合構造２０２ａの第２バンプ２０２ａ２は、第２板ばね２０２ａ１の収納空間Ｓから離れた表面に設けられる。対応する枢接部材２２が筐体２０の開口２０６に向かって閉じられる間、対応する第２枢接シート２２２は、第２係合構造２０２ａの第２バンプ２０２ａ２を押圧して、第２係合構造２０２ａの第２板ばね２０２ａ１を収納空間Ｓ側へ移動させる。対応するカバーシート２２４が筐体２０の頂板２００及び底板２０２に当接されるときに、第２係合構造２０２ａの第２板ばね２０２ａ１は復帰して、第２係合構造２０２ａの第２バンプ２０２ａ２を対応する第２穴２２２ａの中に係合させる。
【００２５】
これにより、固定ブラケット２の枢接部材２２により筐体２０の開口２０６の一部が閉じられた場合に、枢接部材２２上の第１係合部（即ち、第１穴２２０ａ）及び第２係合部（即ち、第２穴２２２ａ）は、別々に筐体２０上の第１係合構造２００ａ（即ち、第１バンプ２００ａ２）及び第２係合構造２０２ａ（即ち、第２バンプ２０２ａ２）と互いに係合することによって、枢接部材２２が予期せずに開口２０６を開けて、筐体２０上の第１固定ピン２０４ａ及び枢接部材２２上の第２固定ピン２２４ａが記憶装置３上の固定穴３００に固定できなくなることを避け、記憶装置３が筐体２０から外れる問題が発生しないようにすることができる。
【００２６】
しかしながら、別の実施形態においては、固定ブラケット２の枢接部材２２により筐体２０の開口２０６の一部が閉じられた場合に、枢接部材２２と筐体２０を互いに係合させる目的を達するために、筐体２０に第１係合構造２００ａのみを設け、枢接部材２２に第１係合構造２００ａと係合可能な第１係合部のみを備えるようにしてよい。又、別の実施形態においては、筐体２０に第２係合構造２０２ａのみを設け、枢接部材２２に第２係合構造２０２ａと係合可能な第２係合部のみを備えるようにしてよい。
【００２７】
図４及び図５を参照する。図４は、図１Ａにおける固定ブラケット２を示す正面図である。図５は、本発明の一実施形態の記憶装置３をシャーシ１の中に固定する固定ブラケット２を示す斜視図である。
【００２８】
図４及び図５に示すように、本実施形態において、筐体２０の底板２０２は、複数の第３係合構造２０２ｂを更に含む。底板２０２の第３係合構造２０２ｂは、底板２０２の収納空間Ｓから離れた表面に位置し、シャーシ１上のスライドレール１０の中に係合されることに用いられる。これにより、本発明の固定ブラケット２は、ねじ無しのロック方式で記憶装置３をシャーシ１内に快速に固定する目的を達することができる。
【００２９】
説明すべきなのは、底板２０２に含まれる第３係合構造２０２ｂの数は、ニーズに応じて調整してよい。
【００３０】
本発明の具体的な実施例に対する上記の詳しい叙述により、本発明の固定ブラケットが複数の記憶装置を一度で収納できることが明らかである。記憶装置が固定ブラケットの筐体内に収納され且つ枢接部材により筐体の開口の一部が閉じられた場合に、筐体内に設けられた第１固定ピン及び枢接部材に設けられた第２固定ピンは、記憶装置の２つの対向する側壁上の固定穴に別々に差し込まれることによって、記憶装置を固定ブラケットの中に固定する目的を達することができる。また、枢接部材により筐体の開口の一部が閉じられた場合に、枢接部材上の係合部と筐体上の係合構造が互いに係合することによって、枢接部材が予期せずに開口を開けて記憶装置が筐体から外れる問題が発生しないようにすることができる。なお、本発明の固定ブラケットは、更に筐体の底部に係合構造が設けられてシャーシのスライドレールに係合されることによって、ねじ無しのロック方式で記憶装置をシャーシ内に快速に固定する目的を達することができる。
【００３１】
本発明では、実施形態を前述の通りに開示したが、これは本発明を限定するものではなく、当業者なら誰でも、本発明の精神と領域から逸脱しない限り、多様の変更や修正を加えることができる。従って、本発明の保護範囲は、特許請求の範囲で指定した内容を基準とする。
【符号の説明】
【００３２】
１：シャーシ
２：固定ブラケット
３：記憶装置
１０：スライドレール
２０：筐体
２２：枢接部材
３０ａ：第１側壁
３０ｂ：第２側壁
２００：頂板
２００ａ：第１係合構造
２００ａ１：第１板ばね
２００ａ２：第１バンプ
２０１：接続リブ
２０２：底板
２０２ａ：第２係合構造
２０２ａ１：第２板ばね
２０２ａ２：第２バンプ
２０２ｂ：第３係合構造
２０４：背板
２０４ａ：第１固定ピン
２０６：開口
２２０：第１枢接シート
２２０ａ：第１穴
２２２：第２枢接シート
２２２ａ：第２穴
２２４：カバーシート
２２４ａ：第２固定ピン
３００：固定穴
Ｓ：収納空間
【要約】
【課題】快速着脱可能で、ねじを使用せずに複数の記憶装置をシャーシの中に固定するための固定ブラケットを提供する。
【解決手段】記憶装置３は、対向する第１側壁３０ａ及び第２側壁３０ｂを有し、側壁３０ａ，３０ｂは、それぞれ複数の固定穴３００を有する。固定ブラケット２は、筐体２０と２つの枢接部材２２を具備する。筐体２０は、収納空間Ｓに複数の第１固定ピン２０４ａを備える。記憶装置３は、筐体２０の開口２０６を介して収納空間Ｓの中に収納される。第１固定ピン２０４ａは、第１側壁３０ａ上の固定穴３００に差し込まれる。枢接部材２２は、筐体２０に枢接され、回転して開口２０６の一部を閉開する。枢接部材２２は、複数の第２固定ピン２２４ａを備える。枢接部材２２により開口２０６の一部が閉じられた場合に、第２固定ピン２２４ａは、第２側壁３０ｂ上の固定穴３００に差し込まれる。
【選択図】図１Ａ【図１Ａ】
0005594639.tif 000002
【図１Ｂ】
0005594639.tif 000003
【図２】
0005594639.tif 000004
【図３】
0005594639.tif 000005
【図４】
0005594639.tif 000006
【図５】
0005594639.tif 000007